(57)【要約】【課題】  肘掛け部側に十分なクッション性を発揮させることができ、外観上の体裁を良好に保ちつつ耐久性を高めることができるようにすること。【解決手段】  椅子１０を構成する座部１２の側方に側部１５が設けられている。側部１５は、椅子１０の側方に位置する枠状のフレーム１７と、このフレーム１７の上部に支持され、肘掛け部１５Ａの上部側に配置されるクッション材１８と、このクッション材１８の外側をカバーし、フレーム１７に固定される補強部材１９とを備えて構成されている。フレーム１７の上部には、高さ位置を部分的に低く形成したクッション材配置領域３３が形成され、その内部にクッション材１８を配置することで、肘掛け部１５Ａ側に十分なクッション性を付与するようになっている。【選択図】      図２
2005081045.tif 000002
【特許請求の範囲】
【請求項１】
肘掛け部の上部にクッション材を配置した椅子の側部構造において、
前記椅子の側部に位置するフレームと、このフレームの上部に支持されるクッション材とを含み、
前記フレームの上部に、高さ位置を部分的に低く形成したクッション材配置領域を設けたことを特徴とする椅子の側部構造。
【請求項２】
前記クッション材の外側をカバーする補強部材が設けられ、当該補強部材は、フレームに固定されていることを特徴とする請求項１記載の椅子の側部構造。
【請求項３】
前記補強部材は、エラスティックバンドにより構成されていることを特徴とする請求項２記載の椅子の側部構造。
【請求項４】
前記フレームは、前後に相対配置される支脚と、これら支脚間に掛け渡された連結部材とを含み、
前記連結部材を支脚の上端より低い位置に掛け渡すことで当該連結部材の上面と前後の支脚の上部相対面とで囲まれる領域に前記クッション材配置領域が形成されることを特徴とする請求項１，２又は３記載の椅子の側部構造。
【請求項５】
前記クッション材の上面は、支脚の上端面と略同一面内に位置することを特徴とする請求項４記載の椅子の側部構造。
【発明の詳細な説明】
【技術分野】
【０００１】
本発明は、椅子の側部構造に係り、更に詳しくは、肘掛け部に設けられたクッション材のクッション性を向上させることができる椅子の側部構造に関する。
【背景技術】
【０００２】
従来より、座部の側方に位置するとともに、上部に肘掛け部を有する側部を備えたソファ等の椅子が広く利用されるに至っている。このような椅子の側部としては、枠状に形成されたフレームにウレタンシートを巻き付けるように張った後、当該ウレタンシートの外側に表装材をカバーする構造が知られている。
【発明の開示】
【発明が解決しようとする課題】
【０００３】
しかしながら、前記側部構造にあっては、クッション材が比較的薄く、クッション性が乏しくなるため、着座する者が肘掛け部に肘を乗せながら側部に寄り掛かったときに、肘にフレームの感触が付与されて痛み等の不快感を生じさせるという不都合を生じる。
ここで、クッション材を厚くすれば、肘掛け部側のクッション性を高めることができるように考えられるが、この場合、側部全体の寸法精度を安定して維持することが困難となる他、肘等を乗せたときに、クッション材が部分的に変形して表装材等に大きな負荷が加わり耐久性が損なわれるという別異の不都合を招来する。
【０００４】
［発明の目的］
本発明は、このような不都合に着目して案出されたものであり、その目的は、肘掛け部側に十分なクッション性を付与することができ、外観上の体裁を良好に保ちつつ耐久性を高めることができる椅子の側部構造を提供することにある。
【課題を解決するための手段】
【０００５】
前記目的を達成するため、本発明は、肘掛け部の上部にクッション材を配置した椅子の側部構造において、
前記椅子の側部に位置するフレームと、このフレームの上部に支持されるクッション材とを含み、
前記フレームの上部に、高さ位置を部分的に低く形成したクッション材配置領域を設ける、という構成を採っている。
【０００６】
本発明において、前記クッション材の外側をカバーする補強部材が設けられ、当該補強部材は、フレームに固定される、という構成も採用することができる。この際、前記補強部材をエラスティックバンドにより構成することが好ましい。
【０００７】
また、前記フレームは、前後に相対配置される支脚と、これら支脚間に掛け渡された連結部材とを含み、
前記連結部材を支脚の上端より低い位置に掛け渡すことで当該連結部材の上面と前後の支脚の上部相対面とで囲まれる領域に前記クッション材配置領域が形成される、という構成も好ましくは採用される。ここで、前記クッション材の上面は、支脚の上端面と略同一面内に位置するように構成するとよい。
【発明の効果】
【０００８】
本発明によれば、クッション材配置領域にクッション材を配置することにより、クッション材の高さを大きく稼いで十分なクッション性を得ることができ、着座する者の肘回りに心地良さを感じさせることが可能となる。更に、クッション材をクッション材配置領域内に収まる大きさとすることにより、側部の寸法精度も安定的に保つことが可能となる。
また、補強部材によりクッション材がカバーされるので、着座するものが肘掛け部に寄り掛かったときに、クッション材を全体として変形させることができ、クッション材により肘を包み込むような快適な感触を付与することが可能となる。しかも、クッション材の部分的若しくは局所的な変形を回避して当該クッション材を保護することができるばかりでなく、クッション材やフレームの外側を覆う表装材の耐久性を高めることが可能となる。
更に、フレームの支脚及び連結部材を利用して簡単にクッション材配置領域を形成できる他、クッション材を前後の支脚により挟み込んでクッション材を補強することが可能となる。また、クッション材の上面と支脚の上端面とを揃えることにより、肘掛け部の上面側を略フラット若しくは平滑な面として形成でき、肘掛け部の外観上の見栄えをより良く保つことが可能となる。
【発明を実施するための最良の形態】
【０００９】
以下、本発明の実施の形態を図面を参照しながら説明する。なお、本明細書における方向若しくは位置を示す用語は、図１中矢印Ａ方向から見た場合を基準とし、「前」とは矢印Ａ方向から見た場合の手前側を示す一方、「後」とは、同奥行き側について用いられる。
【００１０】
図１には、本発明が適用された実施形態に係る椅子の概略斜視図が示されている。この図において、椅子１０は、一人掛け用のソファとして用いられるものである。この椅子１０は、ベース１１上に配置された座部１２と、この座部１２の後方に設けられた背もたれ１３と、これらベース１１、座部１２及び背もたれ１３の左右両側に設けられた一対の側部１５とを備えて構成されている。
【００１１】
前記側部１５は、その上部側が肘掛け部１５Ａとされ、座部１２に着座した者が肘を乗せ易い高さに設定されている。側部１５は、図２及び図３に示されるように、椅子１０の左右の側方に位置するとともに、上下方向に向けられた枠状をなすフレーム１７と、このフレーム１７の上部に支持されるクッション材１８と、このクッション材１８の外側をカバーする補強部材１９と、フレーム１７の左右両側に硬質シート、例えば、ボール紙２１，２１を介して取り付けられる一対のシート部材２２，２２と、フレーム１７、補強部材１９及びシート部材２２の外側を覆う布若しくは革製の表装材２３とを備えて構成されている。
【００１２】
前記フレーム１７は、角柱状の木材を組み合わせることにより構成されている。具体的には、前後に位置して上下方向に延びる前支脚２５及び後支脚２６と、これらの支脚２５，２６の上部及び下部の相対面間に掛け渡されるとともに、前支脚２５及び後支脚２６にステープラーの針（ステープル）２７を介して連結された上連結部材２９及び下連結部材３０とを備え、内側に開口３１を形成するようになっている。前支脚２５及び後支脚２６は略同一長さに形成され、それらの上端面が略同一高さに設定されている。また、上連結部材２９は、前支脚２５及び後支脚２６の上端より低い位置に設けられており、上連結部材２９の上面と、前支脚２５及び後支脚２６の上部相対面とで囲まれる領域に、前記クッション材１８を受容するクッション材配置領域３３が形成される。このクッション材配置領域３３は、フレーム１７の上部を部分的に低くするように形成され、側面視前後に長い凹状（図４参照）に設けられている。なお、前支脚２５の前面側には、装飾効果を付与する化粧板３４が取り付けられている。
【００１３】
前記クッション材１８は、特に限定されるものでないが、本実施形態では、チップウレタンにより構成されている。クッション材１８は、前後方向に沿って延び、上下幅が左右幅より大きい直方体状に形成されている。また、クッション材１８は、クッション材配置領域３３内に略ぴったりと収まる大きさに設けられ、上面が前支脚２５及び後支脚２６の上面と略同一面内に位置するようになっている。
【００１４】
前記補強部材１９は、エラスティックバンドにより構成され、当該エラスティックバンドは、伸縮性若しくは可撓性を有する一枚のゴムシートにより構成されている。補強部材１９は、図２に示されるように、正面視したときに、下向きに開放する反転Ｕ字状に曲げられ、クッション材１８の上面及び左右の各側面を覆うように設けられている。この状態で、補強部材１９の外周領域は、図４に示されるように、前支脚２５、後支脚２６及び上連結部材２９の側面部分に重なり、当該側面に複数のステープル３６を介して固定されている。
【００１５】
前記各ボール紙２１は、前記開口３１を左右両側から閉塞するように設けられ、フレーム１７に接着或いは図示しないステープルを介して取り付けられる。また、前記各シート部材２２は、フレーム１７と略同一の前後幅に形成されているとともに、上下幅が前支脚２５及び後支脚２６より短く形成され、上端が前支脚２５及び後支脚２６の上端に揃う位置に設けられている。シート部材２２は、ボール紙２１に接着したり、フレームに図示しないステープルを介して取り付けられている。なお、シート部材２２の材質としては、ウレタン等が例示できる。
【００１６】
以上の構成において、座部１２に着座する者が側部１５の肘掛け部１５Ａに肘を乗せて寄り掛かると、補強部材１９が撓み変形するとともに、クッション材１８が肘の周辺領域において体積収縮することとなる。このとき、補強部材１９は、クッション材１８のクッション性を適度に保ちつつ、肘回りの広い領域において当該肘を包みこむようにクッション材１８を収縮させる。
【００１７】
従って、このような実施形態によれば、フレーム１７の上部を凹ませるようにクッション材配置領域３３を形成したので、クッション材１８の高さを高く設定して十分なクッション性を発揮させることが可能となる。また、補強部材１９によりクッション材１８をカバーするとともに、補強部材１９の外周領域がフレーム１７に固定されるので、補強部材１９がクッション材１８のクッション作用を補助するようになる他、肘掛け部１５Ａを横方向若しくは斜め方向に押圧するような力が加わっても、クッション材１８が横方向に大きく倒れ込むような変形を防止でき、クッション材１８や表装材２３等の耐久性を向上させることが可能となる。
【００１８】
本発明を実施するための最良の構成などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した構成は、本発明の理解を容易にするために例示的に記載したものであり、本発明を限定するものではないから、例えば、クッション材１８やクッション材配置領域３３の形状は、フレーム１７の上部に十分な厚さのクッション材１８を配置できる限りにおいて種々の設計変更が可能である。
また、椅子１０は、左右の何れか一方の側部１５を省略したものとしたり、ベース１１を設けないものとしてもよい。
【産業上の利用可能性】
【００１９】
本発明に係る側部構造は、主に、家庭用や応接室用のソファ等の椅子に適用して利用することができる。
【図面の簡単な説明】
【００２０】
【図１】本発明が適用された実施形態に係る椅子の概略斜視図。
【図２】図１のＢ−Ｂ線に沿う要部断面図。
【図３】側部の要部概略斜視図。
【図４】側部のフレームにクッション材及び補強部材を取り付けた状態を示す側面図。
【符号の説明】
【００２１】
１０  椅子
１５  側部
１７  フレーム
１８  クッション材
１９  補強部材
２５  前支脚
２６  後支脚
２９  上連結部材
３３  クッション材配置領域
【図１】
2005081045.tif 000003
【図２】
2005081045.tif 000004
【図３】
2005081045.tif 000005
【図４】
2005081045.tif 000006